(57)【要約】【課題】  繰り返し使用が可能なゴルフのティー構造を提供する。【解決手段】  ピン１頂部に対応接続部１２を設け、該対応接続部には複数の円孔１２２を備えた凸環体１２１を設け、定位手段３の嵌合体３１を設ける。該嵌合体上には外部と貫通する複数の分割溝３１１を設けて弾性的に圧縮縮小可能とし、また、該定位手段は球積載台２底部に嵌合孔３２を設けて、該嵌合孔には外部と貫通したスリット３２１を設ける。地上に立てたピン１頂部の対応接続部の嵌合体３１を球積載台２底部の嵌合孔３２に嵌合して結合し、ピンの凸環体に設けた円孔１２２に接続紐４を挿通し、両端のストッパー４１，４２を配して、ティーをセットする。【選択図】図１
2007244845.tif 000002
【特許請求の範囲】
【請求項１】
ピン、球積載台、定位手段、接続紐からなり、
該ピンは、頂部に複数の円孔を供えた凸環体および対応接続部を設けると共に、底部には地面に挿入するピン部を備え、
該球積載台は、頂部にゴルフボールを載置する球積載部を設けた球積載部棒体からなり、該球積載部棒体には該対応接続部に対応する接続部を設けると共に、貫通した貫通孔を設け、
該定位手段は、それぞれ該ピンの対応接続部、該球積載台の接続部にあって、相互に嵌合して結合する嵌合体と嵌合孔からなり、
該接続紐は、該ピンの円孔、該球積載台の貫通孔をそれぞれ貫通すると共に該接続紐両端にはそれぞれ該円孔及び該貫通孔の直径より大きいストッパーを設けたこと、を特徴とするゴルフのティー。
【請求項２】
前記ピンは、該対応接続部において結合強度を向上する環状凹溝を設け、かつ該ピンの頂部には該定位手段の嵌合体を設けて、該嵌合体上には弾性変形を可能とする複数の分割溝を設け、該定位手段はさらに該球積載台の底部に上記嵌合体と嵌合する嵌合孔を設けて、該嵌合孔には複数の外部と貫通するスリットを設けたこと、を特徴とする請求項１記載のゴルフのティー。
【請求項３】
前記ピンは、少なくとも１個以上の球積載台と組み合わされ、これらの各球積載台はそれぞれ高さを変えると共に、それぞれ該ピンと該球積載台上を巻回して接続紐を配置したこと、を特徴とする請求項１記載のゴルフのティー。
【発明の詳細な説明】
【技術分野】
【０００１】
本発明は、ゴルフのティー構造に関する。特に、繰り返し使用が可能なティー構造で、球積載台は回収／繰り返し使用可能であって、ピンに様々な高さの球積載台を組合せ使用することで、使用者のショットに対応して好適にショットすることのできるゴルフのティー構造に係る。
【背景技術】
【０００２】
近年、余暇にゴルフを楽しむ人が増えており、ゴルフは健康にも良い運動であるため、ますます盛んになっている。
ゴルフでティーショットを打つ時、通常はゴルフボールをティー(GOLF TEE)上に置きショットの便を図る。しかし、ゴルフというスポーツには体型、心理、クラブ、或いはスイングの習慣など様々な素因が関わっており、これらはショットのできに影響を及ぼす他、ショットの良し悪しに最も直接影響を与えるものがティーである。
一般に公知のティーは一体成型で、多くは硬質の木材或いはプラスチック材料による加工品である。その欠点は、球積載部が長期間の使用により折れ易く、しかも打撃者がスイングし打撃すると同時にティーも飛び四方へと跳ね飛んで行くため、打撃者はあちらこちらにティーを探し回らなければならず、時間の無駄で、また心理的にも影響を及ぼす。
そのため、ショット後にティーがあちらこちらに飛び、探し回らなければならないという欠点を解決するため、業者は自動回復構造のゴルフティーを開発した。公知のティーの立体分解図である図１０に示すように、そのティーAは球積載部A１、第一弾性部品A２、第二弾性部品A３、双バネ定位部品A４、バネ杭定位部品A５、ピン杭部A６により構成する。使用者がショットする瞬間、該球積載部A１は力を受けて該ピン杭部A６を離脱し、該第一弾性部品A２と該第二弾性部品A３の変形により受けた応力を緩衝し、その後弾性回復力により原型に弾性回復する。
しかし、その構成部品は複雑で、これらの内、単一の部品が損壊すれば、交換不能であるため全体を廃棄せざるを得ない。該第一弾性部品A２と該第二弾性部品A３は一定時間の使用により弾性疲労を起こし、新しい第一弾性部品A２と第二弾性部品A３に交換しなければならず、使用中の損耗率は極めて高い。また経費がかかり、不経済である。
また、ゴルフを行う人は、練習時にしばしば自身の姿勢と球の動態を参考にする必要があるため、普通、ベテランは自身のティーがティーショットが打出された時に向いた方向や位置により、ゴルフボールの回転の方向を評価し、しかもショットの良し悪しを判別することができる。しかし、上記のティーでは、自動的に原状を回復するため、打撃者はティーの分離によりショットの良し悪しを判別することができないため、使用者は自身のショットの姿勢を理解することもできない。
またゴルフ練習場の場所の違いによっては、適用されるティーの型式は完全に異なるため、多種の異なる型式、異なる高さのティーを準備しなければならず、経費がかかるため、使用者のニーズを満たすことはできない。
【０００３】
このため、業者はさらに分離型のティーを開発した。該ティーは球積載台とピンにより構成し、球積載台は分離可能という特性を備える。しかし、クラブが球積載台を打撃すると、該球積載台は不特定の方向へと飛び跳ね、脱落し、該球積載台の遺失を招く。
またボールが打出される時、打撃の瞬間はボール中心の下方を打撃するため、使用者のクラブ或いはゴルフボール自身の回転で該球積載台は前方へと飛び出して地面に落下し、球は落下した時は回転力により後方へと回転する。もしボール中心の上方を打撃するなら、ゴルフボール自身の回転により、該球積載台を後方へと飛び出させ地面に落下させる。すなわち、該球積載台が飛ばされる方向により、使用者はボールの回転方向を判別することができ、さらにショットの良し悪しを判別することもできる。しかし、クラブが球積載台を誤って打撃した時には、球積載台の遺失を招くため、使用者は非常に不便である。
このように、公知のティーの構造は全体的な設計において多くの欠点が存在し、改良が待たれている。
【特許文献１】特開平１０−１５５９５５号公報
【特許文献２】特表２００５−５２８１５０号公報
【発明の開示】
【発明が解決しようとする課題】
【０００４】
公知構造には以下の欠点があった。
すなわち、ショットと同時にティーも飛び、それを探さなければならないという面倒を解消するため開発された自動回復構造のティーと分離型のティーは共に理想的ではない。自動回復構造のティーでは構成部品が複雑で、単一の部品が損壊すれば交換不能であるため全体を廃棄せざるを得ず、しかもバネは一定期間の使用により弾性疲労を起こすという欠点が存在する。一方、分離型のティーでは球積載台が遺失し易いという欠点があり、球積載台が飛ばされる方向によりショットの良し悪しを判別するという使用者の技術向上の機会を奪っている。
本発明は上記構造の問題点を解決したゴルフのティー構造を提供するものである。
【課題を解決するための手段】
【０００５】
上記課題を解決するため、本発明は下記のゴルフのティー構造を提供する。
すなわち、ピン頂部に対応接続部を設置し、該対応接続部には定位手段の嵌合体を設置し、該定位手段は該球積載台底部に嵌合孔を設置し、しかも接続紐により該球積載台の貫通孔とピンの円孔をそれぞれ貫通し、こうして定位手段により、該球積載台に設置する嵌合孔は該ピン頂部の嵌合体に嵌入し、これによりゴルフボールを積載可能とし、打撃後は接続紐を利用し球積載台を引戻し、ティーの繰り返し使用により経費を節減する目的を達成し、また異なる型式の球積載台を対応させることができるため、使用者のショットの品質を向上させることができ、
さらに、ピン頂部の対応接続部には複数の円孔を備えた凸環体を設置し、該凸環体の各円孔に該接続紐を通過させ、しかも該接続紐により該球積載台の貫通孔をそれぞれ通過し、これにより該球積載台は該ピン頂部に嵌設され、該球積載台が打撃後に外に向かって跳ね飛んで行く時に該接続紐を利用し引戻し、再使用が可能で、しかも繰り返し使用することによりティーを新たに購入する経費を節減可能で、
また、ピンは少なくとも１個以上の球積載台を対応させ、しかも該各球積載台は異なる高さを備え、打撃者は適した高さの球積載台を選択し使用可能で、ティーの適用性能と実用性を向上させることを特徴とするゴルフのティー構造である。
【発明の効果】
【０００６】
上記のように、本発明のティーはティーの対応接続部、球積載台の接続部２１においてそれぞれ定位手段の嵌合体、嵌合孔を設置し、該嵌合体と嵌合孔が緊密対応を呈する方式により、球積載台はピン頂部に安定的に固定される。さらに定位手段の嵌合体は分割溝を設置し、嵌合孔はスリットを設置するため、嵌合体、嵌合孔は弾性変形の空間を備え、緊密対応の機能を達成する。またティーはピンの円孔、球積載台の貫通孔において接続紐を穿設するため、該球積載台は接続紐の牽引を受けピンから離脱することはなくなり、球積載台は回収し再使用が可能で、多数の球積載台を購入するための経費を節減することができる。
【発明を実施するための最良の形態】
【０００７】
本発明の立体外観図である図１、本発明の側面断面図である図２に示すように、本発明のゴルフのティー構造は、ピン１、球積載台２、定位手段３、接続紐４により構成する。
該ピン１底部にはピン部１１を備え、頂部には対応接続部１２を設ける。該対応接続部１２は、凸環体１２１を備え、該凸環体１２１上には複数の円孔１２２を設ける。
該球積載台２底部には接続部２１を備え、頂部には球積載部２２を設ける。該接続部２１と該球積載部２２間の棒体２３上には貫通した貫通孔２４を設ける。
該定位手段３は、相互に嵌合する嵌合体３１と嵌合孔３２からなる。該嵌合体３１上には複数の分割溝３１１を備え、これにより該嵌合体３１は弾性圧縮変形の機能を備え、該嵌合孔３２への嵌合の便を図る。また、該嵌合孔３２は、周縁において外へ貫通して開口する複数のスリット３２１を具え、これにより該嵌合孔３２は弾性拡張或いは圧縮の変形機能を備え、しかも該嵌合孔３２の孔径は該嵌合体３１の外径よりわずかに小さい。こうして該嵌合体３１と該嵌合孔３２は緊密に嵌合して結合することができる。
該接続紐４は両端においてそれぞれストッパー４１、４２を具える。
【０００８】
上記構成部品を組立てる時、該ピン１の対応接続部１２、該球積載台２の接続部２１はそれぞれ該定位手段３の嵌合体３１、嵌合孔３２により結合され、さらに該接続紐４によりそれぞれ該ピン１の円孔１２２及び該球積載台２の貫通孔２４を貫通して、該接続紐４両端のストッパー４１、４２を利用して、該ピン１と該球積載台２の分離を防止する。こうして本発明のゴルフのティー構造を構成する。
該ピン１は、該対応接続部１２において該定位手段３の嵌合体３１を具え、また該嵌合体３１底部周縁の対応接続部１２上において環状凹溝１３を設ける。これにより該対応接続部１２の嵌合体３１と該球積載台２の接続部２１の嵌合孔３２が嵌合、接続する時、該接続部２１底縁は該環状凹溝１３内に嵌入して、該嵌合体３１上の複数の分割溝３１１が生じる塑性変形機能により、孔径がやや小さい嵌合孔３２内に嵌入し、相互嵌合作用を形成して緊密に結合する。こうして、該球積載台２はさらに安定して該ピン１対応接続部１２上に結合し、該環状凹溝１３により該対応接続部１２の構造強度を向上する。
また、該定位手段３の嵌合体３１は、該ピン１の対応接続部１２、或いは該球積載台２の接続部２１のいずれにも設置可能で、すなわち該嵌合孔３２は該嵌合体３１に対応し、該ピン１の対応接続部１２或いは該球積載台２の接続部２１に設置してもよい。
【０００９】
次に、本発明のティー使用前の側面断面図である図３、本発明ティー使用時の側面断面図である図４、本発明ティー使用後の側面断面図である図５に示すように、本発明ゴルフのティー構造のピン１は、該ピン部１１を地面に挿入し、さらに該対応接続部１２により該球積載台２の接続部２１を接合する。このとき、該接続部２１底縁は該対応接続部１２の環状凹溝１３内に嵌入し、該接続部２１の定位手段３の嵌合孔３２は該対応接続部１２の定位手段３の嵌合体３１に嵌合する。これにより該球積載台２は一時的に該ピン１の頂部に結合され、該球積載台２頂部の球積載部２２にゴルフボール５を置くことができ、打撃者はクラブ６により該ゴルフボール５を打ち、該ゴルフボール５は打撃された後、ショットの方向に沿って前方へと移動する。但し、該球積載台２は脱落して該ゴルフボール５が打撃された時の反対方向へと跳ね、該球積載台２は跳ね、脱落して該ピン１から離れた後、該接続紐４の範囲内で止まるため該接続紐４を引っ張るだけで該球積載台２を再び該ピン１位置に引き戻すことができる。こうして効果的に該球積載台２の遺失を防止することができ、また該球積載台２は回収し再使用が可能であるため、多数のティーを購入する費用を節約することができる。
【００１０】
続いて本発明最適実施例の俯瞰図である図６に示すように、本発明ゴルフのティー構造は、該ピン１と該球積載台２上に巻き付ける接続紐４を利用して、該接続紐４の該各ストッパー４１、４２、４３、４４と該球積載台２とのそれぞれ異なる打撃方向へ展開することにより、ショット方向の目標線を形成することができる。これにより打撃者は該ピン１付近に立ち、該接続紐４の該各ストッパー４１、４２、４３、４４が形成する目標線を目安とすることで、正確にショットを打ち出すことができ、打撃の正確性を向上させ、ショットの落下点を目標線のガイド方向とすることができる。
【００１１】
さらに、本発明別種の実施例の立体外観図である図７、本発明別種の実施例の側面断面図である図８に示すように、本発明ゴルフのティーはピン１に少なくとも１個以上の球積載台２、２０を対応させ、該球積載台２は異なる高さ或いは異なる型式を備える。これにより打撃者はプレー場所に応じて適した球積載台２を選択し、ティーの実用機能を向上させることができる。該ピン１は、該凸環体１２１の円孔１２２を利用して、該接続紐４を貫通させ、しかも該接続紐４両端はさらにそれぞれ該異なる球積載台２、２０棒体２３、２０３上の貫通孔２４、２０４を貫通、巻き付け、さらに該接続紐４両端に直径が該貫通孔２４、２０４より大きいストッパー４１、４２を設置する。こうして該球積載台２、２０は該ピン１に接続して分離、脱落することはなくなる。
使用時には、任意の球積載台２、２０を該ピン１頂部の対応接続部１２に設置し、しかも該球積載台２、２０底部の接続部２１、２０１が設置する定位手段３の嵌合孔３２、３０２は該ピン１の対応接続部１２が設置する定位手段３の嵌合体３１に係合する。こうして該球積載台２、２０は該ピン１の対応接続部１２に安定して結合され、該球積載台２、２０２は該ゴルフボール５をセットすることができ、打撃者は適した高さの球積載台２、２０を選択し、ショットを行うことができる。
【００１２】
次に、本発明は、さらに別種の最適実施例の立体外観図である図９に示すように、本発明のティーは、ゴム材質により製造された固定台７とすることが可能で、該ゴム材質の固定台７を利用して該ピン１を収容する。こうして打撃者が人工芝或いは練習場の練習マット上でティーを設置する時にも、ピン１を練習マットに挿入して練習マットを損傷するなどの状況を避けることができる。すなわち、該ピン１を該固定台７上に立ててショットを行い、こうして本発明の適用範囲を拡大することができる。
【００１３】
上記最適実施例中のティーは該ピン１の対応接続部１２、球積載台２の接続部１２によりそれぞれ定位手段３の嵌合体３１、嵌合孔３２を設けて、該嵌合体３１に分割溝３１１を設け、該嵌合孔３２はスリット３２１を形成する。これにより該嵌合体３１、該嵌合孔３２は、弾性変形の機能を備え、しかも該球積載台２の接続部２１は該ピン１の対応接続部１２に接合し、該嵌合孔３２により該嵌合体３１に係合し、緊密対応を形成する。しかも該ピン１の円孔１２２、該球積載台２の貫通孔２４は該接続紐４により貫通し、こうして該球積載台２の該ピン１からの離脱を防止し、さらに該球積載台２は回収して繰り返し利用することを可能とする。このような実施方式は、本発明の特許範囲に限定されるものではなく、ピン１、球積載台２が定位手段３を利用して緊密に結合することにより、該球積載台２が打撃力を受けてピン１を離脱後、接続紐４の牽引により回収して再使用することが可能で、該球積載台２を繰り返して使用することができるため、使用者は多数の球積載台２を購入する必要がなくなる。よって、本発明の説明書及び図示内容の簡易な修飾及び同等の効果を持つ構造変化はすべて本発明の特許範囲に含まれるものとする。
【図面の簡単な説明】
【００１４】
【図１】本発明の立体外観図である。
【図２】本発明の側面断面図である。
【図３】本発明ティー使用前の側面断面図である。
【図４】本発明ティー使用時の側面断面図である。
【図５】本発明ティー使用後の側面断面図である。
【図６】本発明最適実施例の俯瞰図である。
【図７】本発明別種の実施例の立体外観図である。
【図８】本発明別種の実施例の側面断面図である。
【図９】本発明さらに別種の最適実施例の立体外観図である。
【図１０】公知のティーの立体分解図である。
【符号の説明】
【００１５】
１  ピン
１１  ピン部
１２  対応接続部
１２１  凸環体
１２２  円孔
１３  環状凹溝
２  球積載台
２１  接続部
２２  球積載部
２３  棒体
２４  貫通孔
２０  球積載台
２０１  接続部
２０２  球積載部
２０３  棒体
２０４  貫通孔
３  定位手段
３１  嵌合体
３１１  分割溝
３２  嵌合孔
３２１  スリット
３０２  嵌合孔
４  接続紐
４１  ストッパー
４２  ストッパー
４３  ストッパー
４４  ストッパー
５  ゴルフボール
６  クラブ
７  固定台
A  ティー
A１  球積載部
A２  第一弾性部品
A３  第二弾性部品
A４  双バネ定位部品
A５  バネ杭定位部品
A６  ピン杭部
【図１】
2007244845.tif 000003
【図２】
2007244845.tif 000004
【図３】
2007244845.tif 000005
【図４】
2007244845.tif 000006
【図５】
2007244845.tif 000007
【図６】
2007244845.tif 000008
【図７】
2007244845.tif 000009
【図８】
2007244845.tif 000010
【図９】
2007244845.tif 000011
【図１０】
2007244845.tif 000012